(57)【特許請求の範囲】
【請求項１】
点火機構を備えたライター部と、前記ライター部の下部に一体に連設された水タンク収納部と、前記水タンク収納部に挿着自在に収納された弾性材料で形成されその一部を押圧して内部の水が加圧される水タンクと、前記水タンクに設けられた吐水口と、前記水タンク収納部の開口部側の一端に設けられたキャップ部と、前記水タンク収納部に形成された前記水タンクの一部を押圧する開口部と、を有することを特徴とする消火装置付ライター。
【請求項２】
前記キャップ部が回動開閉機構を備えた回動蓋であって、前記回動蓋がその閉止時に前記吐水口を封止する止水部を有していることを特徴とする請求項１に記載の消火装置付ライター。
【請求項３】
前記キャップ部がスライド開閉機構を備えたスライド蓋であって、前記スライド蓋がそのスライド突出時に前記水タンクの吐水口に嵌合して接続する通水口と、前記通水口に連結するスライド突出端側に設けられたノズル部とを有していることを特徴とする請求項１に記載の消火装置付ライター。
【請求項４】
前記水タンクの吐水口に螺着手段又は嵌着手段で覆設される蓋を有していることを特徴とする請求項１に記載の消火装置付ライター。
【請求項５】
前記水タンクには、消臭剤、芳香剤の成分の内いずれか１以上の成分を含む消火液が充填されていることを特徴とする請求項１乃至４のいずれか１項に記載の消火装置付ライター。
【発明の詳細な説明】
【０００１】
【発明の属する技術分野】
本発明は、タバコに火を付けるだけでなく、タバコの火種に直接水を滴下することにより素早く、かつ確実にタバコの火を消すことのできる消火装置付ライターに関するものである。
【０００２】
【従来の技術】
近年、タバコの煙を嫌悪する嫌煙の風潮が高まっており、またタバコの火による火災も後を絶たない。タバコの煙は喫煙時のみならず、火をもみ消すときに多く排出されるが、タバコの火種はなかなかもみ消すことができず時間がかかり、より多くの有害な煙を排出してしまう。また、駅等の灰皿においては、完全に火を消していないタバコが原因となって火が広がり、大量の煙を発生させることもしばしばである。
【０００３】
このような問題を解決するため、場所を選ばずどこででもタバコの火を確実に消火することのできる器具として、実開平６−６９４９号公報（以下、イ号公報とよぶ）に「消火器付ライター」が開示されている。
【０００４】
以下に、イ号公報の消火器付ライターについて、図面を用いて説明する。
図６はイ号公報に開示の消火器付ライターの斜視図である。
図６において、４５は消火器付ライター、４６は燃料槽、４７は水槽、４８は燃料槽４６の上面に被さるカバー、４９は水槽４７の上面に被さるカバー、５０は燃料槽４６の上面部分に設けられた点火用プッシュボタン、５１は燃料槽４６の上面部分に設けられたガスノズル、５２は燃料槽４６の上面部分に設けられた電極、５３は水槽４７の上側に設けられた給水用プッシュボタン、５４は水槽４７の上側に設けられた水ノズル、５５は水槽３７の上側に設けられ、水補給用の開口を覆うキャップである。
【０００５】
以上のように構成された従来の消火器付ライター４５について、以下その動作を説明する。
まず、着火時はカバー４８を開き、点火用プッシュボタン５０を押すと電極５２とガスノズル５１との間に火花が飛び、ガスノズル５１の上方に向かう火炎が発生する。この火炎によりタバコに火を付け、点火用プッシュボタン５０から手を離すと火炎は消える。
次に、消火時はカバー４９を開き、給水用プッシュボタン５３を押す。給水用プッシュボタン５３の下側にはポンプ及びチューブが設けられており、プッシュボタン５３を押すことによりポンプがチューブから水を汲み上げ、水を水ノズル５４に供給し、水ノズル５４の先端から水が噴出する。
給水の際には、キャップ５５を開き、水槽の上側に設けられた水補給用の開口により水を注入し、給水する。
【０００６】
【発明が解決しようとする課題】
しかしながら、上記の消火器付ライターは以下のような課題を有していた。
（１）ポンプ、給水用プッシュボタン、チェック弁、カバー、水槽、水ノズル、キャップ、点火装置等の多くの構成要素を備え、特にポンプ等の水吐出機構は複雑な構造となるので消火器付ライターの生産性が悪く、高コストになるという課題を有していた。
（２）小さな給水キャップからライターを濡らさないように給水するのが困難であり、給水時にはスポイト等の器具を要するという課題を有していた。
（３）給水用プッシュボタンを押すことで水ノズルから水が噴出するため、多量の水が勢い良く飛び出し、水や灰が周囲に飛散するという課題を有していた。
（４）燃料槽と水槽が並べて配置されているため消火器付ライターの厚さが厚くなり、また大型化するため携帯に不便であるという課題を有していた。
（５）水の吐出機構の構成が複雑で高価となるため、使い捨てにすることができず、一部が故障した場合は分解して細かな部品を修理しなければならないという課題を有していた。
【０００７】
本発明の消火装置付ライターは上記従来の課題を解決するもので、水の吐出機構を簡単に構成して低コストで生産できると共に、着火するだけでなく、水や灰を飛散させず、どこででも簡単に素早く清潔かつ確実にタバコの火を消火することのできる消火装置付ライターを提供することを目的とする。
【０００８】
【課題を解決するための手段】
上記課題を解決するために、本発明の請求項１に記載の消火装置付ライターは、点火機構を備えたライター部と、前記ライター部の下部に一体に連設された水タンク収納部と、前記水タンク収納部に挿着自在に収納された弾性材料で形成されその一部を押圧して内部の水が加圧される水タンクと、前記水タンクに設けられた吐水口と、前記水タンク収納部の開口部側の一端に設けられたキャップ部と、前記水タンク収納部に形成された前記水タンクの一部を押圧する開口部と、を有して構成されている。
この構成により、以下のような作用を有する。
（１）水が充填された水タンクを指で押すことにより内部を加圧し、吐水口より水を排出させることができるので、この水をタバコの火に滴下させて素早く確実に消火を行うことができる。
（２）水を吐出させるための複雑な構成のポンプを不要にして、使い捨てできるライターを低コストで生産できる。
（３）着火するだけでなく、喫煙後、水や灰を飛散させることなくタバコの火を消化できるので、周囲を汚すことなく清潔に使用できる。
（４）タバコを灰皿に押しつけて消火する際に出る有害な煙や臭いを出すことなく、素早くかつ確実にタバコの火を消火できる。
（５）一滴ずつ水を吐出させるので必要最低限度の水で消火でき、有害な排水の生成を防止できる。
（６）ライターと消火装置が一体となっており、タバコとともに常時携帯することができるので、場所を選ばずどこででも喫煙、消火を行うことができる。
（７）灰皿の無い場所であっても、消火装置付ライターを用いて安心して喫煙後の消火処理ができる。
（８）ライター部が水タンク収納部と水タンクを保持させるキャップ部とを備えているので、キャップ部を開閉させ、あるいは、これにより水タンクを必要に応じて取り外して、水の補給を容易に行うことができる。
（９）水タンク収納部には開口部が形成されているので、この開口部を指で押圧して水タンク内を加圧して、吐水口から吐き出される水の吐出状態を見ながらタバコの火を効果的に消すことができる。
（１０）使用時以外は、キャップ部が閉められるので、吐出口からの水漏れが起こり難い。
（１１）水タンクがライター部の水タンク収納部に挿入され、キャップ部で係止されて各部材が一体となっているため、使用時に各部材を紛失することがなく、また携帯にも便利である。
【０００９】
ここで、水タンクは弾性材料で形成され、指で水タンクの中心部等を押さえてここがへこむ程度の硬さにすることが望ましい。この弾性材料としては、合成樹脂やゴム、薄肉の金属等を用いることができる。
合成樹脂としては、例えばポリエチレン、ポリプロピレン、ポリ塩化ビニル、ポリ塩化ビニリデン、ポリアミド、ポリアクリレートポリエチレン、ポリエステルのいずれか１種又はこれらの混合物若しくはこれらと繊維状物やフィラーとの組成物を成形したものが使用できる。
ゴムとしては天然ゴム、合成ゴム等が使用される。金属薄板としてはステンレス、鉄、銅等が使用される。
水タンクを合成樹脂で成形する場合には、例えば、割り金型内に加熱された熱可塑性樹脂を充填して空気圧により膨らませ、金型内に熱可塑性樹脂を密着させる。次いで冷却して中空体を得るブロー成形法や、インジェクションブロー成形法を用いることが好ましく、これにより水タンクを安価にかつ大量に製造することができる。
なお、水タンク内に保持させることのできる水の容量は、ライター部の大きさにもよるが、２〜１０ｃｍ3、好ましくは３〜５ｃｍ3の範囲とすることが望ましい。これは水の容量が３ｃｍ3より少なくなるにつれ、水の補給が頻繁に必要になって利便性が損なわれる傾向にあり、逆に水の容量が５ｃｍ3を超えるにつれ、消火装置付ライターが大きくなって携帯性が悪くなる傾向にあり、水の容量が２ｃｍ3より少なくなるか、１０ｃｍ3を超えるとこれらの傾向がさらに強まるからである。
【００１０】
水タンクの側面には、給水時に指の腹でライター部から水タンクを押し上げるための凹凸等を有した滑りとめ部を設けることが好ましい。滑り止め部の形状は、横方向の平行線、波線等の切欠や、半円、多角形等の膨出型等、指が水タンクから滑るのを防止できるものであればよい。
吐水口は、確実にタバコの火に水を滴下することができるように、水タンクの本体部分から数ｍｍ程度突出させて設けることが好ましい。
吐水口の径は水タンクを指で押さえることにより水一滴が所定量となり、かつ使用時以外は大気圧により水が漏れない径にすることができる。
滴下する水の量は消火するに必要十分な量であることが好ましく、必要十分な量より少なくなると確実に消火するとことができず、多くなるとタバコを必要以上に濡らし、タバコが崩れて処理が困難になる傾向があるため好ましくない。
水タンクは吐水口だけのスポイト式とするか、吐水口と給水口を有するものとしてもよい。
【００１１】
ライター部は、例えば液化ブタン等の燃料を保持した燃料槽と、その上面部分に設けられた圧電式点火用ボタン、燃料槽の上面部分に設けられたガスノズル、燃料槽の上面部分に設けられた発火用電極等を有して構成されるが、回転やすりで発火石を機械的に摩擦して火花を発生させる点火機構を有したライターにも適用できる。
ライター部の燃料タンクは、着火のためのガス燃料が切れた際に補充できるように設計してもよいが、補充のための構成を省略して、ガス燃料が無くなった時点で使い捨てる構造とすることが好ましい。
【００１３】
ここで、開口部はライター部の外枠のうち、水タンクが収納される水タンク収納部の片面を三角状、半円状、半楕円状、四角状に切り取って切り欠いて形成する。残りの片面は切り取ってもよいが切り取らずに水タンクの背面の壁とすることが好ましい。これにより、切り取られた片面側の開口部から水タンクを押して吐出させることができ、また、両面から同時に押されることがないので、バッグやポケット等の中で両側から挟まれても吐水させるだけの圧力を受け難く、水漏れを防止することができる。
開口部は、親指又は人差し指の先端が入る程度の面積とすることが好ましく、これより大きくなると、ポケットの中等で不用意に水タンクが押されて中の水が漏れる場合がある。開口部の形状は、三角形等の切り欠き状、円形、楕円形、正方形、矩形、多角形状等とすることができ、水タンク収納部の両側面、片側面、あるいはコーナー部の１又は複数箇所に適宜設けることができる。
キャップ部は開口部側の外枠の一端部にヒンジや回動部等で形成される。キャップ部は外枠と同一の大きさか吐水口を覆う吐水口蓋部と連設部で形成される。
【００１４】
請求項２に記載の消火装置付ライターは、請求項１に記載の発明において、前記キャップ部が回動開閉機構を備えた回動蓋であって、前記回動蓋がその閉止時に前記吐水口を封止する止水部を有して構成されている。
この構成により、請求項１の作用に加え、以下の作用を有する。
（１）回動蓋がその閉止時に吐水口に嵌合して封止する突起状等に形成された止水部を有するので、使用時以外は吐水口から水漏れすることがなく、濡れては困るものが入れられるポケットやバッグ等に消火装置付ライターを入れて安全に持ち運ぶことができる。
（２）回動部の基端部が水タンク収納部に軸支されたり、又は折曲げ部により係止されたりする回動開閉機構を有するので、水タンクを簡単に保持収納させることができると共に、安価に消火装置付ライターを製造することができる。
【００１５】
ここで、回動開閉機構は回動部の基端部が水タンク収納部の端部に軸支されたり、又は折曲げ部により係止されたりするものを用いることができる。特に折曲げ部を介して回動蓋を回動させる構造にした場合には、全体を一体に成形できるので、部品点数を少なくしてさらに安価に消火装置付ライターを製造できる。
【００１６】
請求項３に記載の消火装置付ライターは、請求項１に記載の発明において、前記キャップ部がスライド開閉機構を備えたスライド蓋であって、前記スライド蓋がそのスライド突出時に前記水タンクの吐水口に嵌合して接続する通水口と、前記通水口に連結するスライド突出端側に設けられたノズル部とを有して構成されている。
この構成により、請求項１の作用に加え、以下の作用を有する。
（１）スライド蓋がそのスライド突出時に水タンクの吐水口に接続する通水口を有するので、消火装置付ライターの運搬移動中などにスライド蓋が多少スライドしても吐水口から水漏れするようなことがなく、ポケットやバッグ等に消火装置付ライターを入れて安全に持ち運ぶことができる。
（２）スライド蓋の突出する先端部にはノズル部が設けられているので、このノズル部を目標とするタバコの火種部に向けて位置付けるのを容易にして、水タンクの水を的確に吐出させることができる。
（３）ノズル部はその使用時以外は消火装置付ライターから突出していないので、バッグやポケット等からの取り出し時にノズル部が引っ掛かるようなことがなく、取扱い性に優れる。
（４）ノズル部を有するので、このノズル孔の形態を選択したり、調整したりすることにより、ここから噴出させる水の散布状態を調整でき、消臭や消火等の目的に応じて効果的に使い分けることができる。
（５）吐水口と給水口とを同一にした場合、消火装置付ライターの本体部分からノズル部を突出させることができるため、給水時にはノズルを水中に入れた状態で、水タンクを押圧してへこませて、次にこれを膨らませることにより、水タンク内に水を吸い込ませて充填することができ、消火装置付ライターを全く濡らすことなく給水を行うことができる。
【００１７】
請求項４に記載の消火装置付きライターは、請求項１に記載の消火装置付ライターにおいて、前記水タンクの吐水口に螺着手段又は嵌着手段で覆設される蓋を有して構成されている。
この構成により、請求項１の作用に加え、以下の作用を有する。
（１）水タンクの吐水口に直接螺着手段や嵌着手段で蓋が脱着自在に固定されるので、蓋部で確実に止水でき、キャップ部を形成しなくてもよく、消火装置付きライターの構造を簡略化でき、生産性を高めると共に、部品点数を減らし低コスト化を図ることができる。
（２）水タンクとして市販の醤油差し等の容器をそのまま用いることができる。
ここで螺着手段としては、水タンクの吐水の外周壁に螺溝を形成し、蓋の内外に前記螺溝を螺着する螺溝を形成したものや吐水口の内周壁と棒状部を備えた蓋の棒状部との螺溝を施したものが用いられる。また、嵌着手段としては、蓋の一面開口の容器状に形成し、その開口部側を水タンクの吐水口の外側から外嵌するものや、蓋部が頂部と頂部の下面中央に略円錐状に形成された円錐部を吐水口に内嵌する形式のもの等が用いられる。
【００１８】
請求項５に記載の消火装置付ライターにおいて、請求項１乃至４のいずれか１項に記載の発明において、前記水タンクには、消臭剤、芳香剤の成分の内いずれか１以上の成分を含む消火液が充填されて構成されている。
この構成により、請求項１乃至４のいずれか１項の作用に加え、以下の作用を有する。
（１）火のついたタバコに散布される水を含む消火液には、消臭剤、芳香剤の成分の内いずれか１以上の成分が含まれているので、タバコの煙に含まれる不快な臭いを素早く除去したり、少ない水量で迅速に消火を行ったりすることができ、消火装置付ライターの利便性をさらに高めることができる。
（２）香水等の芳香剤成分を消火液に含有させた場合には、タバコの火の熱により芳香剤成分の揮発が促進されるので、室内等に芳香を効果的に拡散させ、喫煙時におけるタバコの臭いを紛らわして、その場の雰囲気を簡単に演出できる。
（３）水以外の消火剤成分を添加させた場合には、少量の使用で消火できるので、１回の消火液の充填で使用できる回数を増加させて、利便性を向上させることができる。
【００１９】
ここで、芳香剤としては、植物性、動物性の天然香料と合成香料を調合してつくった調合香料を精製したエチルアルコールに希釈して、時間をかけて熟成させた芳香製品が該当する。特に、植物や動物の香気成分(香料)に殺菌は解毒、解熱、鎮静等その他多くの薬効作用のあることが知られており、これらの効果を付加して利便性をさらに高めることができる。
消臭剤としては、化学反応により臭いの成分と結合して脱臭させるものや、臭いの成分を吸着して除去する活性炭等が含まれる。
水以外の消火液成分としては、熱分解で生成する二酸化炭素による消火効果を有するものや、燃焼速度抑制化学作用(負触媒作用)などを有するもの等が考えられる。
【００２０】
【発明の実施の形態】
以下に本発明の実施の形態について、図面を参照しながら説明する。
（実施の形態１）
図１は本発明の実施の形態１における消火装置付ライターの斜視図である。
図１において、１は実施の形態１における消火装置付ライター、２は点火機構を備えたライター部、３はライター部２に設けられた着火部、４はライター部２に設けられたガスタンク、５は着火部３に通じるチューブ、６はライター部２に連設され内部に後述する水タンクを収納する水タンク収納部、７は水タンク収納部６の長手方向の一側壁に切り込み形成された開口部である。開口部７は傾斜状や段差状に形成され一方が他方よりも低く形成されている。８は水タンク収納部６に挿着され合成樹脂などの弾性材料で略板状に成形された水タンク、９は水タンク８に一体に設けられた吐水口、１０は開口部７の高部側に回動自在に配設され水タンク８を覆う回動蓋（キャップ部）、１１は回動蓋１０を水タンク収納部６の開口部７に接続する回動軸を備えた接続部、１２は回動蓋１０に設けられ、吐水口９に嵌合される止水部、１３は水タンク８の側壁に浅く凹凸等が形成された引っかけ部である。
【００２１】
消火装置付ライター１の外枠等の本体構造部分の材料は、ガスタンク４内のガスの残量が見えるように透明な合成樹脂製とすることが好ましい。
回動蓋１０を閉じることにより、その内面側に形成された止水部１２が吐水口９に嵌合して、これによって、吐水口９から水が漏れるのを防止する構造になっている。
なお、簡易な消火装置付きライター１の場合は、水タンク収納部６を深くし、回動蓋１０を設けなくてもよい。また、水タンク８の吐水口９に螺着手段や嵌着手段で直接覆設するようにしてもよい。この場合、止水部１２と回動蓋１０に設けなくてもよい。止水しないからである。螺着手段としては吐水口９の外周の螺溝と蓋内部の螺溝が形成された蓋状が用いられ、嵌着手段としては、吐水口９の内側又は外側を嵌合する形式のものが用いられる。
水タンク収納部６は水タンク８が挿入されている部分の片面側に開口部７が形成され、残り片面側は切り取らずに水タンク８の背面の壁とした。これにより、開口部７から水タンク８を指で押して吐水させることができ、また両面から同時に押されることがないのでバッグやポケット等の中で両側から挟まれても吐水させるだけの圧力を受け難く、水漏れを有効に防止することができる。
引っかけ部１３の凹凸は、水タンク８の表面部分だけを切り欠いたり、ジグザグ状の部分を形成したりして得られたものである。これにより水タンク８を水タンク収納部６から着脱する際に指が滑ることがなく、この着脱操作を容易に行うことができる。
水タンク８はスポイト式のものを例示したが、吐水口と給水口を有するものでもよい。なおスポイト式の方が簡便に給水ができるので好ましい。
【００２２】
以上のように構成された本発明の実施の形態１における消火装置付ライターについて、以下その使用方法を説明する。
まず、点火時には着火部３を上にし、タバコに火を着ける。
次に、消火時は回動蓋１０を開き、タバコの火に吐水口９を近づけ、開口部７に指を押し当てて水タンク８の略中央部を押すことにより加圧して、吐水口９からタバコの火に水を滴下させて消火する。この際、水の噴出状態を見ながら指で開口部７を押す圧力を調整することができる。
こうして、タバコの着火と消火を繰り返して、水タンク８内の水が無くなった時に、水タンク８に水を供給する。
この水タンク８の給水時には、まず、回動蓋１０をその基端部を軸として回動させて開いた後、引っかけ部１３に指の腹をあて、水タンク８を水タンク収納部６より引き出す。この取り出された水タンク８を水を満たしたボール等に入れて、水タンク８の略中央部を指で押してへこませ、水タンク８内の空気を押し出した後、指を放して水タンク８の吐水口９から水を吸入させることができる。
また、水タンク８を水タンク収納部６から少し押し上げた状態で吐水口９だけを水中に挿入して、ライター部２を濡らさずに吐水口９から給水するようにしてもよい。
水タンク８が消火装置付ライター１に占める容積比は、例えば、全体の１／５〜１／２の範囲とする。容積比が１／５より少ないと、保持する水量が少なく、頻繁に水の補給が必要になる。逆に容積比が、１／２を超えると相対的にライター部が小さくなり、実用上の利便性が損なわれるので好ましくない。
【００２３】
以上のように本発明の実施の形態１における消火装置付ライター１が構成されているので、以下の作用を有する。
（１）回動蓋１０を開け、水タンク８を押してタバコの火に少量の水を滴下するだけで素早く、かつ確実に有害な煙や臭いを出すことなくタバコの火を消火することができる。
（２）水タンク８を開口部７を介して押圧することにより、一滴づつ水を吐出することができるため、水や灰を飛散させることなくタバコの火を消火することができる。
（３）ライター部２と水タンク収納部６等の消火装置とが一体になっており、タバコと共に常時携帯することができるので、場所を選ばずどこでも着火及び消火を行うことができる。
（４）回動蓋１０の閉止時には、止水部１２が吐水口９に嵌合されているため、バッグやポケット内に消火装置付ライター１を入れて、移動しても水が漏れ出るようなことがなく安全である。
（５）水の吐出機構を水タンク８と吐水口９だけで単純に構成できるので、部品点数が少なくできると共に、ブロー成形等で水タンク８を効率的に形成でき、使い捨て用としての消火装置付ライター１を低コストで製造できる。
（４）水タンク８の片面にだけ開口部７を設けているので、バッグやポケット等の中で消火装置付ライター１が両側から挟まれても、水が漏れ出てバッグやポケット等の中を濡らすようなことがなく、取り扱い性に優れる。
【００２４】
（実施の形態２）
本発明の実施の形態２における消火装置付ライターについて、以下図面を用いて説明する。
図２は本発明の実施の形態２における消火装置付ライターの斜視図である。
図２において、１４は実施の形態２における消火装置付ライター、１５はライター部２の下部側に設けられ、側面に凹状部が形成された水タンク収納部、１６は水タンク収納部１５に収納された水タンク８を覆う回動蓋（キャップ）、１７は回動蓋１６の下面に延設して設けられ、水タンク収納部１５の凹状部に嵌合する膨出して表裏面に平行して形成された２枚の凸状部である。
なお、前記実施の形態１と同様の機能及び構成を有するものについては同一の符号を付してその詳しい説明を省略している。
実施の形態２の消火装置付ライター１４は、回動蓋１６をその接続部１１を軸として回動させて開状態とすることにより、水タンク８の回動蓋１６の凸状部１７に対応する部分が開口して露出され、水タンク８の両側面を押圧できるように形成されている。
水タンク収納部１５の凹状部と回動蓋１６の凸状部１７はその閉止状態で互いに密着するようにしているが、指先等が入らない程度の若干の隙間が形成されるような場合でも構わない。これによって、消火装置付ライター１４の寸方許容精度を低くして製作を容易にしたり、デザイン性を付加したりできる。
【００２５】
以上のように本発明の実施の形態２における消火装置付ライター１４が構成されているので、実施の形態１の作用に加えて以下の作用を有する。
（１）回動蓋１６を開け、凸状部１７に対応した開口部から水タンク８を両側から押して加圧し、タバコの火に適量の水を滴下することができる。これによって、素早く、かつ確実に有害な煙や臭いを出すことなくタバコの火を消火することができる。
（２）回動蓋１６の閉止時には、水タンク８が完全に外部と遮断された状態で水タンク収納部１５に収納されるので、消火装置付ライター１４をポケット等に入れて持ち運ぶ際に水タンク８が押されるようなことがなく、吐水口９からの水漏れをさらに完全に防止でき、使用者の安心感を高めることができる。
【００２６】
（実施の形態３）
本発明の実施の形態３における消火装置付ライターについて、以下図面を用いて説明する。
図３は実施の形態３における消火装置付ライターの消火装置の一部分解斜視図である。
図３において、２０は実施の形態３の消火装置付ライター、２１はライター部の点火機構とは反対側の下部に形成された水タンク収納部、２２は水タンク収納部２１の片面側に円形状に穿設された開口部、２３は水タンク収納部２１に収納される弾力性材料の合成樹脂を用いて中空に形成された水タンク、２４は水タンク２３の面から数ｍｍの範囲で突出して形成された吐水口、２５は吐水口２４周囲からの水漏れを防止するための吐水口２４の周囲に備えられた薄いゴムパッキン、２６は水タンク収納部２１の水タンク挿入側に設けられたスライド機構を備えたスライド蓋、２７はスライド蓋２６のスライド機構を構成するレール、２８は水タンク収納部２１の端部に形成されたレール２７に嵌合してスライドするレール嵌合部、２９はスライド蓋２６の内面側に設けられ、そのスライド突出時に水タンク２３の吐水口２４に嵌合して接続する通水口、３０は通水口２９に通水管３１を介して連結されるスライド突出端側に設けられたノズル部、３２はスライド蓋２６の底面に設けられた膨出部、３３はノズル部３０をスライドさせて押出して通水口２９が吐水口２４の上にきた時、膨出部３２が嵌合される嵌合部、３４はスライド蓋２６に凹凸を有して形成された滑り止め面である。
【００２７】
スライド蓋２６は、先部が拡大して形成された凸部を有するレール２７が水タンク収納部２１のレール嵌合部２８に嵌着されることで水タンク収納部２１に装着されている。
ここで、レール２７及び凸部の本数は１又は２本であることが好ましい。レール２７及び凸部がなければスライド蓋２６が水タンク収納部２１に装着されず、３本以上では消火装置付ライターが小さいためこれらの設置が困難になる傾向がある。
スライド蓋２６はレール２７の凸部がレール嵌合部２８に閉止位置で嵌着されている場合、長さ及び幅が水タンク収納部２１の外枠からはみ出さないように形成されている。また、使用時以外は膨出部３２が水タンク２３の吐水口２４に嵌合され、水が漏れないようになっている。
【００２８】
水タンク２３は、ポリエチレン等の熱可塑性合成樹脂を原料としてブロー成形等で外形が略袋状や略直方体状等に中空状に形成されている。
水タンク２３が消火装置付ライター２０に占める容積比は、例えば、全体の１／５〜１／２の範囲とする。容積比が１／５より少ないと、保持する水量が少なく、頻繁に水の補給が必要になる。逆に容積比が、１／２を超えると相対的にライター部が小さくなり、実用上の利便性が損なわれるので好ましくない。
水タンク２３には通常の水道水等を充填するが、目的に応じて、水道水に消臭剤や芳香剤を添加することもできる。これにより、タバコの臭いを積極的に除去したり、他の快適な香りにより喫煙の場の気分を転換したりすることができる。
特に芳香剤を用いる場合には、タバコの熱により芳香剤の成分の揮発が促進されるので、少量でも効果的に芳香を発生させることができる。
さらに、水の吐出によるタバコの火の消火効果をさらに促進させるような消火促進剤、例えば、タバコの熱により発泡して空気遮断層を形成するものや、空気を遮断する粘被膜を生成したりするような物質を添加してもよい。
【００２９】
以上のように構成された本発明の実施の形態３における消火装置付ライターについて、以下その使用方法を説明する。
図４（ａ）はスライド蓋の閉止状態を示す側面図であり、図４（ｂ）はスライド突出時の状態を示す側面図である。
まず、図４（ａ）に示す状態の消火装置付ライター２０において、スライド蓋２６の滑り止め面３４を指の腹で押し、スライド蓋２６を前方に押し出す。
これにより、スライド蓋２６の膨出部３２が吐水口２４から外れ、レール２７の凸部がレール嵌合部２８に嵌合した状態でスライドして、通水口２９が吐水口２４上に移動して接続され、図４（ｂ）に示す状態になる。
このように通水口２９が吐水口２４の方向に移動して、膨出部３２が嵌合部３３に嵌合することでスライド蓋２６の動きが一旦停止するので、この一旦停止により通水口２９が吐水口２４上に移動したのを確認できる。
次に、タバコの火にノズル部３０を近づけ、水タンク２３の略中央部に対応する位置に設けられた開口部２２を介して、水タンク２３を指で押す。
これにより、水タンク２３の吐水口２４から排出された水は通水管３１を通って、ノズル部３０から吐水され、タバコの火が消火される。
水タンク２３内の水が無くなったら、消火時と同様にスライド蓋２６を前方に押し出し、水タンク２３の略中央部を指で押してへこませ、水タンク２３内の空気を押し出してノズル部３０を水中に入れ、指を放して水タンク２３内に水を吸入させる。または、スライド蓋２６を水タンク収納部２１から取り外した後、収納されている水タンク２３を取り出して、直接、吐水口２４から水を補給してもよい。
ライター部のガスタンク４内のガスが無くなった時点で使い捨てとする。
ここで、吐水口２４周囲にはゴムパッキン２５が備えられているため、膨出部３２が吐水口２４に嵌合されている非使用時（図４（ａ））や、通水口２９が吐水口２４に接続される使用時（図４（ｂ））のいずれの場合にも、吐水口２４と膨出部３２あるいは通水口２９の隙間から水が漏れるのを防ぐことができる。
【００３０】
以上のように本実施の形態３の消火装置付ライター２０が構成されているので、以下の作用を有する。
（１）スライド蓋２６をスライドさせることにより、ノズル部３０と水タンク２３の吐水口２４とが通水管３１を介して連結させることができる。こうして、水タンク収納部２１の開口部２２を介して水タンク２３を押圧して、ノズル部３０からタバコの火に少量の水を滴下して、素早く、かつ確実に有害な煙や臭いを出すことなくタバコの火を消火することができる。
（２）側端にノズル部３０が形成されたスライド蓋２６を有するので、給水時に水タンク２３を水タンク収納部２１に装着したまま、側端側に突出したノズル部３０を用いて消火装置付ライター２０の本体部分を濡らすことなく給水できる。
（３）水タンク２３を開口部２２を介して押圧することにより、一滴づつ水を吐出することができるため、水や灰を飛散させることなくタバコの火を消火することができる。
（４）水タンク２３に消臭剤や芳香剤、消火剤などを添加することもでき、タバコの臭いを積極的に除去したり、他の快適な香りにより喫煙の場の気分を転換したりすることができる。特に芳香剤を用いる場合には、タバコの熱により芳香剤の成分の揮発が促進されるので、少量でも効果的に芳香を発生させることができる。
（５）ライター部と水タンク収納部２１等の消火装置とが一体になっており、タバコと共に常時携帯することができるので、どこでも着火及び消火を簡単に行うことができる。
（６）スライド蓋２６を閉止時には、膨出部３２が吐水口２４に嵌合されているので、移動しても水タンク２３内の水が外部漏れ出るのを防止できる。
（７）消火装置としてチェック弁やポンプ等を含まないので、部品点数が少なくでき、使い捨て用としての消火装置付ライター２０を低コストで製造できる。
（８）灰皿が手近にない場合でも、消火装置付ライター２０の水タンク内の水や、消火液を用いて確実にタバコの火を消火することができる。
【００３１】
（実施の形態４）
本発明の実施の形態４における消火装置付ライターについて、以下図面を用いて説明する。
図５（ａ）は実施の形態４の消火装置付ライターにおけるスライド蓋の閉止状態を示す部分側面図であり、図５（ｂ）はそのスライド突出時の状態を示す部分側面図である。
図５において、４０は実施の形態４の消火装置付ライターの底部側、４１は水タンク収納部２１にスライド可能に取付られたスライド蓋（キャップ部）、４２はスライド蓋４１に一体に又は連設して設けられた開口部２２を覆うためのシャッター部である。なお、以下においては、前記実施の形態３と同様の機能及び構成を有するものについては同一の符号を付してその詳しい説明を省略する。
シャッター部４２は水タンク収納部２１と同一の素材またはこれと同等の硬い素材からなり、スライド蓋４１に一体又は連設して図の下方に突出して設けられた舌片状の部分であり、スライド蓋４１のスライド開閉動作に伴って移動させ、開口部２２を舌片状の部分で覆うことができる。
【００３２】
以上のように本実施の形態４の消火装置付ライター４０が構成されているので、実施の形態３の作用に加えて、以下の作用を有する。
（１）スライド蓋４１の開状態の際、即ち吐水口２４から水を滴下させる際には開口部２２を覆うシャッター部４２がスライドして指で押せる状態にできる。また、閉状態の際には開口部２２をシャッター部４２で覆って水タンク収納部２１に収納された水タンク２３に圧力がかからなようにできる。これによって、ポケット等に入れて消火装置付ライター４０を持ち運んでも、水漏れの恐れがなく、使用者に安心感を付加することができる。
（２）スライド蓋４１の閉止時には、水タンク２３がより密閉した状態で水タンク収納部２１に収納されるので、耐久性を高めることができる。
（３）灰皿が手近にない場合でも、消火装置付ライター４０の水タンク２３内の水や消火液を用いて確実にタバコの火を消火することができる。
【００３３】
【発明の効果】
以上のように本発明における消火装置付ライターによれば、以下の優れた効果を得ることができる。
請求項１に記載の消火装置付ライターによれば、この構成により、以下のような効果を有する。
（１）水が充填された水タンクを指で押すことにより内部を加圧し、吐水口より水を排出させることができるので、この水をタバコの火に滴下させて素早く確実に消火を行うことができる。
（２）水を吐出させるための複雑な構成のポンプを不要にして、使い捨てできるライターを低コストで生産できる。
（３）着火するだけでなく、喫煙後、水や灰を飛散させることなくタバコの火を消化できるので、周囲を汚すことなく清潔に使用できる。
（４）タバコを灰皿に押しつけて消火する際に出る有害な煙や臭いを出すことなく、素早くかつ確実にタバコの火を消火できる。
（５）一滴ずつ水を吐出させるので必要最低限度の水で消火でき、有害な排水の生成を防止できる。
（６）ライターと消火装置が一体となっており、タバコとともに常時携帯することができるので、場所を選ばずどこででも喫煙、消火を行うことができる。
（７）灰皿の無い場所であっても、消火装置付ライターを用いて安心して喫煙後の処理ができる。
（８）ライター部が水タンク収納部と水タンクを保持させるキャップ部とを備えているので、キャップ部を開閉させ、あるいは、これにより水タンクを必要に応じて取り外して、水の補給を容易に行うことができる。
（９）水タンク収納部には開口部が形成されているので、この開口部を指で押圧して水タンク内を加圧して、吐水口から吐き出される水の吐出状態を見ながらタバコの火を効果的に消すことができる。
（１０）使用時以外は、キャップ部が閉められるので、吐出口からの水漏れが起こり難い。
（１１）水タンクがライター部の水タンク収納部に挿入され、キャップ部で係止されて各部材が一体となっているため、使用時に各部材を紛失することがなく、また携帯にも便利である。
【００３５】
請求項２に記載の消火装置付ライターによれば、この構成により、請求項１の効果に加え、以下の効果を有する。
（１）回動蓋がその閉止時に吐水口に嵌合して封止する突起状等に形成された止水部を有するので、使用時以外は吐水口から水漏れすることがなく、濡れては困るものが入れられるポケットやバッグ等に消火装置付ライターを入れて安全に持ち運ぶことができる。
（２）回動部の基端部が水タンク収納部に軸支されたり、又は折曲げ部により係止されたりする回動開閉機構を有するので、水タンクを簡単に保持収納させることができると共に、安価に消火装置付ライターを製造することができる。
【００３６】
請求項３に記載の消火装置付ライターによれば、この構成により、請求項１の効果に加え、以下の効果を有する。
（１）スライド蓋がそのスライド突出時に水タンクの吐水口に接続する通水口を有するので、消火装置付ライターの運搬移動中などにスライド蓋が多少スライドしても吐水口から水漏れするようなことがなく、ポケットやバッグ等に消火装置付ライターを入れて安全に持ち運ぶことができる。
（２）スライド蓋の突出する先端部にはノズル部が設けられているので、このノズル部を目標とするタバコの火種部に向けて位置付けるのを容易にして、水タンクの水を的確に吐出させることができる。
（３）ノズル部はその使用時以外は消火装置付ライターから突出していないので、バッグやポケット等からの取り出し時にノズル部が引っ掛かるようなことがなく、取扱い性に優れる。
（４）吐水口と給水口とを同一にした場合、消火装置付ライターの本体部分からノズル部を突出させることができるため、給水時にはノズルを水中に入れた状態で、水タンクを押圧してへこませて、次にこれを膨らませることにより、水タンク内に水を吸い込ませて充填することができ、消火装置付ライターを全く濡らすことなく給水を行うことができる。
（５）吐水口と給水口とを同一にした場合、消火装置付ライターの本体部分からノズル部を突出させることができるため、給水時にはノズルを水中に入れた状態で、水タンクを押圧してへこませて、次にこれを膨らませることにより、水タンク内に水を吸い込ませて充填することができ、消火装置付ライターを全く濡らすことなく給水を行うことができる。
【００３７】
請求項４に記載の消火装置付きライターによれば、この構成により、請求項１の効果に加え、以下の効果を有する。
（１）水タンクの吐水口に直接螺着手段や嵌着手段で蓋が脱着自在に固定されるので、蓋部で確実に止水でき、キャップ部を形成しなくてもよく、消火装置付きライターの構造を簡略化でき、生産性を高めると共に、部品点数を減らし低コスト化を図ることができる。
（２）水タンクとして市販の醤油差し等の容器をそのまま用いることができる。
【００３８】
請求項５に記載の消火装置付ライターにおいて、請求項１乃至４のいずれか１項に記載の発明において、前記水タンクによれば、この構成により、請求項１乃至４のいずれか１項の効果に加え、以下の効果を有する。
（１）火のついたタバコに散布される水を含む消火液によれば、香水等の芳香剤成分を消火液に含有させた場合には、タバコの火の熱により芳香剤成分の揮発が促進されるので、室内等に芳香を効果的に拡散させ、喫煙時におけるタバコの臭いを紛らわして、その場の雰囲気を簡単に演出できる。
（２）水以外の消火剤成分を添加させた場合には、少量の使用で消火できるので、１回の消火液の充填で使用できる回数を増加させて、利便性を向上させることができる。
【図面の簡単な説明】
【図１】実施の形態１における消火装置付ライターの斜視図
【図２】実施の形態２における消火装置付ライターの斜視図
【図３】実施の形態３における消火装置付ライターの一部分解斜視図
【図４】（ａ）スライド蓋の閉止状態を示す側面図
（ｂ）スライド蓋のスライド突出時の状態を示す側面図
【図５】（ａ）実施の形態４における消火装置付ライターのスライド蓋の閉止状態の部分側面図
（ｂ）そのスライド突出時の状態を示す部分側面図である。
【図６】従来例における消火器付ライターの斜視図
【符号の説明】
１  消火装置付ライター
２  ライター部
３  着火部
４  ガスタンク
５  チューブ
６  水タンク収納部
７  開口部
８  水タンク
９  吐水口
１０  回動蓋（キャップ部）
１１  接続部
１２  止水部
１３  引っかけ部
１４  消火装置付ライター
１５  水タンク収納部
１６  回動蓋（キャップ）
１７  凸状部
２０  消火装置付ライター
２１  水タンク収納部
２２  開口部
２３  水タンク
２４  吐水口
２５  ゴムパッキン
２６  スライド蓋（キャップ部）
２７  レール
２８  レール嵌合部
２９  通水口
３０  ノズル部
３１  通水管
３２  膨出部
３３  嵌合部
３４  滑り止め面
４０  消火装置付ライター
４１  スライド蓋（キャップ部）
４２  シャッター部
４５  消火器付ライター
４６  燃料槽
４７  水槽
４８  カバー
４９  カバー
５０  点火用プッシュボタン
５１  ガスノズル
５２  電極
５３  給水用プッシュボタン
５４  水ノズル
５５  キャップ部
【図１】
0004614513.tif 000002
【図２】
0004614513.tif 000003
【図３】
0004614513.tif 000004
【図４】
0004614513.tif 000005
【図５】
0004614513.tif 000006
【図６】
0004614513.tif 000007